(57)【要約】【課題】筒型形状のフィルターの清掃を効率よく行なうことができると共に環境にも十分に配慮したフィルター清掃装置を提供する。【解決手段】一端側５ａが開放され他端側５ｂが閉鎖した筒型形状のフィルター５の外面を清掃するための装置であって、上部にフィルター５の一端側５ａを装着するための開口部７ａが形成された筐体７と、筐体７の側面部に設けられ、サイクロン集塵器８の吸引パイプ９と接続するための接続部７ｂと、筐体７にフィルター５を装着した時に、フィルター５の外面側を密封状態とし、フィルター５の開放された一端側５ａからフィルター内面部にエアーガン１３によりエアーを吹き付けて、フィルター５の外面部に付着している塵埃を吹き飛ばし、サイクロン集塵器８により集塵可能に構成した。【選択図】図１
0003130521.tif 000002
【実用新案登録請求の範囲】
【請求項１】
一端側が開放され他端側が閉鎖した筒型形状のフィルターの外面を清掃するための装置であって、
上部に前記フィルターの一端側を装着するための開口部が形成された筐体と、
筐体の側面部に設けられ、集塵器の吸引パイプと接続するための接続部と
筐体に前記フィルターを装着した時に、フィルターの外面側を密封状態とし、フィルターの開放された一端側からフィルター内面部にエアーを吹き付けて、フィルターの外面部に付着している塵埃を吹き飛ばし、前記集塵器により集塵可能に構成したことを特徴とするフィルター清掃装置。
【請求項２】
エアーガンにより前記エアーが吹き付けられることを特徴とする請求項1に記載のフィルター清掃装置。
【請求項３】
前記フィルターの一端側には、開口部が形成された円板状部材が取り付けられており、筐体の開口部はフィルターのフィルター部分の外径よりも大きくなるように設定され、円板状部材の外径は筐体の開口部によりも大きくなるように設定されていることを特徴とする請求項１又は２に記載のフィルター清掃装置。
【請求項４】
前記集塵器はサイクロン式集塵器であることを特徴とする請求項１〜３のいずれか１項に記載のフィルター清掃装置。
【考案の詳細な説明】
【技術分野】
【０００１】
塵埃が付着した筒型形状のフィルターの清掃装置に関するものである。
【背景技術】
【０００２】
かかる筒状フィルターは、例えば、樹脂のマスターバッチ（色素コンパウンド）の原料を製造する工程において使用される。図５にその工程を模式的に示す。マスターバッチの原料を製造するために、攪拌機１ａを有する混合装置１が設けられており、その内部に樹脂ペレットが投入されている。さらに、混合装置１の上部に設けられた投入部１ｂから粉体のドライカラーが投入される（矢印参照）。このドライカラーと樹脂ペレットを混合させることでマスターバッチの原料が製造される。
【０００３】
一方、投入されるドライカラーは粉体であるため、全てが混合装置１内に投入されるのではなく、一部が周囲に舞い上がってしまう。従って、作業環境を悪化させないように粉塵として舞い上がった粉体を集塵器により集塵するようにしている。すなわち、混合装置１の上方にダクト２を配置し、集塵パイプ３を介して集塵器４により集塵する。集塵器４内には、筒型形状のフィルター５が取り付けられており、粉塵はフィルター５の外表面に捕集される。ダクト２から吸引された粉塵を含むエアーは、フィルター５の外面部からフィルター部分を通過して内面部へと通過し、粉塵が除去されたエアーは排出パイプ６から排出される。
【０００４】
また、その他の例として、上記のように製造された原料を押し出し成形機に投入してマスターバッチを製造する場合にも粉体が舞い上がるため、集塵器により集塵する必要がある。
【考案の開示】
【考案が解決しようとする課題】
【０００５】
上記において、集塵器４に使用されるフィルター５は外面部に粉塵が徐々に付着していくので、定期的に清掃を行う必要がある。清掃を行なうため、集塵器４からフィルター５を取り外し、付着した粉塵を除去するための作業を行う必要がある。粉塵を除去する場合に、その粉塵が再び舞い上がることにないように注意しながらする必要がある。そのためには、フィルター５の外表面を濡れた布で拭いたりするなどの対処が必要であり、非常に効率が悪かった。また、図５に示すような混合装置１は、同じ工場内に多数配置されており、清掃対象となるフィルター５も多数存在する。従って、フィルター５を清掃するための工数も多大なものになっており、改善が望まれている。
【０００６】
本考案は上記実情に鑑みてなされたものであり、その課題は、筒型形状のフィルターの清掃を効率よく行なうことができると共に環境にも十分に配慮したフィルター清掃装置を提供することである。
【課題を解決するための手段】
【０００７】
上記課題を解決するため本発明に係るフィルター清掃装置は、
一端側が開放され他端側が閉鎖した筒型形状のフィルターの外面を清掃するための装置であって、
上部に前記フィルターの一端側を装着するための開口部が形成された筐体と、
筐体の側面部に設けられ、集塵器の吸引パイプと接続するための接続部と
筐体に前記フィルターを装着した時に、フィルターの外面側を密封状態とし、フィルターの開放された一端側からフィルター内面部にエアーを吹き付けて、フィルターの外面部に付着している塵埃を吹き飛ばし、前記集塵器により集塵可能に構成したことを特徴とするものである。
【０００８】
かかる構成によるフィルター清掃装置の作用・効果を説明する。清掃対象となるフィルターは筒型形状をしており、一端側が開放されて他端側が閉鎖された形状である。このフィルターは集塵器で使用する場合は、エアーは外面から内面へと流れるため、塵埃はフィルターの外面に付着する。このフィルターの清掃を行う時は、筐体の開口部からフィルターを挿入し、フィルターの一端側を開口部に装着した状態にする。フィルターの他方側は開口部から挿入されて筐体内に位置した状態になる。このとき、フィルターの外面側（塵埃が付着している側）は密封された状態にセットされている。次に、一端側からフィルター内面部にエアーを吹き付ける。すなわち、逆洗方向にエアーを吹き付ける。エアーはフィルターの内面部から外面側へと抜けていくため、フィルターの外面部に付着している塵埃を吹き飛ばす。筐体の側面部には集塵器の吸引パイプが接続されており、吹き飛ばされた塵埃は、集塵器により集塵される。集塵器をフィルター清掃用に使用することで、フィルターの清掃を効率よく行なうことができる。また、塵埃が吹き飛ばされる空間は、筐体内の密封された空間であるから環境に対して配慮をすることができる。その結果、筒型形状のフィルターの清掃を効率よく行なうことができると共に環境にも十分に配慮したフィルター清掃装置を提供することができる。
【０００９】
本考案において、エアーガンにより前記エアーが吹き付けられることが好ましい。
【００１０】
エアーガンを使用することで、塵埃を勢いよく吹き飛ばすことができ、フィルター清掃を効率よく行なうことができる。
【００１１】
本考案において、前記フィルターの一端側には、開口部が形成された円板状部材が取り付けられており、筐体の開口部はフィルターのフィルター部分の外径よりも大きくなるように設定され、円板状部材の外径は筐体の開口部によりも大きくなるように設定されていることが好ましい。
【００１２】
この構成によると、フィルターを装着する場合は、フィルターの他端側を開口部から挿入するだけでよい。フィルターの一端側には、開口部が形成された円板状部材が取り付けられており、その外径は開口部よりも大きいので、円板状部材が開口部に載せられる形で装着することができる。これにより、簡単にフィルターを装着することができ、着脱も容易である。
【００１３】
本考案に係る集塵器はサイクロン式集塵器であることが好ましい。これにより、塵埃を所定の集塵部に収集させることができ、捕集された塵埃の後処理が容易になる。
【考案を実施するための最良の形態】
【００１４】
本考案に係るフィルター清掃装置の好適な実施形態を図面を用いて説明する。図１は、フィルター清掃装置の概要を示す模式図である。図２は、フィルター清掃装置の外観を示す斜視図である。図３は、フィルターの形状を示す図である。図４は、フィルターをセットするところを示す図である。
【００１５】
＜清掃装置の構成＞
図１は、清掃対象のフィルター５が装着された状態を断面図として示している。フィルター５が使用される場面については、図５により既に説明した通りである。フィルター５は、図３に示すように細長い筒型形状を有しており、一端側５ａと他端側５ｂとフィルターとしての機能を呈する胴体部５ｃを有している。一端側５ａには、円板状部材６が取り付けられており、中央には開口部６ａが形成されており、開放された状態である。他端側５ｂは、閉塞された状態に形成されている。胴体部５ｃは、長手方向に沿った山部と谷部が形成されたアコーディオン状に形成されており、その外面に塵埃が捕捉される。
【００１６】
筐体７は、略直方体形状を有しており、清掃対象のフィルター５が着脱自在に装着される。筐体７の上面中央には開口部７ａが形成されており、この開口部７ａからフィルター５が挿入される。従って、開口部７ａの内径の大きさは、フィルター５の胴体部５ｃの外径よりも大きな寸法となっている。また、円板状部材６の外径の大きさは、開口部７ａの大きさよりも大きくなっている。従って、フィルター５をその他端側５ｂから、開口部７ａへ挿入すると、図１に示すように、円板状部材６の周縁部が開口部７ａの周縁部に載る形で装着される。フィルター５は、開口部７ａの位置に上から置くだけで装着できるので、着脱も容易に行なうことができる。フィルター５を装着した状態では、フィルター５の外面側の空間Ｓは、筐体７により密閉された空間となる。
【００１７】
筐体７の側面部には、サイクロン集塵器８の吸引パイプ９を接続するための接続部７ｂが形成されている。筐体７の底部には、筐体７を移動しやすいように複数のコロ７ｄが取り付けられている。また、図２にも示すように、別の側面部には取っ手７ｃを設けて移動操作を行ないやすいようにしている。
【００１８】
サイクロン集塵器８は、吸引パイプ９を介してフィルター５の外面に付着している塵埃を吸引する機能を有する。サイクロン集塵器８の底部には集塵容器１０（集塵部に相当）が配置されており、塵埃が容器内に回収される。塵埃が除去されたエアーは、排出パイプ１１から適宜の場所へ排出される。排出パイプ１１の経路途中に吸引ポンプ１２が配置されており、フィルター５の清掃を行う時は、これを動作させる。
【００１９】
エアーガン１３は、その先端部からエアーを噴出させ、フィルター５の外面に付着している塵埃を吹き飛ばすものである。エアーガン１３の操作は人為的に行なうようにしてもよいし、自動的に操作されるようにしてもよい。
【００２０】
＜清掃作業工程＞
次に、フィルター５の清掃を行う場合の作業手順について説明する。まず、図５に示すような集塵器４から、清掃対象となるフィルター５を取り出す。取り出されたフィルター５を図４に示すようにフィルター５の他端側５ｂを下にして、筐体７の開口部７ａから挿入させる。フィルター５の挿入が完了した状態が図１に示される。
【００２１】
次に、サイクロン集塵器８を動作させて塵埃を吸引可能な状態にセットすると共に、エアーガン１３の先端を筐体７の開口部７ａから挿入して、エアーを噴出させる。これにより、フィルター５の内面から外面に向かってエアーが噴出され、フィルター５の外面に付着している塵埃を吹き飛ばす。吹き飛ばされた塵埃は、サイクロン集塵器８により、筐体７内の空間Ｓから吸引パイプ９を通って吸引されていき、集塵容器１０に集塵される。
【００２２】
以上の構成によれば、密閉された空間Ｓに塵埃を吹き飛ばすようにしており、清掃装置が設置される環境を悪化させることがない。エアーガン１３を使用して、塵埃を吹き飛ばすようにしており、効率よく塵埃をフィルター５の外面から除去させることができ、作業時間が短縮化する。また、サイクロン集塵器８を使用しているので、サイクロン集塵器８自身のフィルターのメンテナンスの頻度は清掃対象のフィルター５に比較すると少なくてもすむ。工場設備内に清掃対象となるフィルター５の数が多ければ多いほど、本考案によるフィルター清掃装置は効果を発揮する。もちろん、フィルター清掃装置は、１台だけでなく複数台を設置するようにしてもよい。
【００２３】
＜別実施形態＞
フィルター５の形状については、本実施形態で説明した構造に限定されるものではなく、種々の変形例が考えられる。フィルター５は、アコーディオン形状を有していなくてもよく、例えば、通常の円筒形状であってもよい。
【００２４】
フィルター５で除去される塵埃として、粉体顔料を例にあげて説明したが、本考案はこれに限定されるものではなく、他の種類の塵埃の場合にも適用できるものである。
【００２５】
エアーガン１３で塵埃を吹き飛ばす場合、エアーガン１３を作業者が操作するものでもよいが、エアーガン１３を自動的に動作させるような構成を採用してもよい。
【００２６】
本実施形態において集塵器としてサイクロン式のものを用いているが、これに限定されるものではない。
【図面の簡単な説明】
【００２７】
【図１】フィルター清掃装置の概要を示す模式図
【図２】フィルター清掃装置の外観を示す斜視図
【図３】フィルターの形状を示す図
【図４】フィルターをセットするところを示す図
【図５】清掃対象となる筒型形状のフィルターが使用される状態を示す図
【符号の説明】
【００２８】
１        混合装置
４        集塵器
５        筒状フィルター
５ａ      一端側
５ｂ      他端側
５ｃ      胴体部
６        円板状部材
６ａ      開口部
７        筐体
７ａ      開口部
７ｂ      接続部
８        サイクロン集塵器
９        吸引パイプ
１０      集塵容器
１３      エアーガン
Ｓ        空間
【図１】
0003130521.tif 000003
【図２】
0003130521.tif 000004
【図３】
0003130521.tif 000005
【図４】
0003130521.tif 000006
【図５】
0003130521.tif 000007